(57)【要約】      （修正有）【課題】使用時の便利性が向上する家庭用消毒装置を提供する。【解決手段】支持ベース１と、支持ベースの底部の両側に設けられるプーリと、を含む家庭用消毒装置であって、支持ベースの一方側には、ハンドル２が設けられ、支持ベースの頂部の中央には、箱体が設けられ、箱体の一方側には、支持バー４が設けられ、支持バーの頂部には、固定ラックが設けられ、固定ラックの内部には、ノズル６が設けられ、箱体の内部は、混合箱７と液体吸引箱８から構成される。混合箱の頂部には、供給パイプ９が形成され、混合箱の一方側には、モータ１１が設けられ、混合箱の内部には、混合アセンブリが設けられる。モータをオンにすることにより、混合液が攪拌され、混合液の均一性が保証され、装置による消毒効果が保証される。【選択図】図２
0003233105.tif 000002
【実用新案登録請求の範囲】
【請求項１】
支持ベース（１）と、前記支持ベース（１）の底部の両側に設けられるプーリと、を含む家庭用消毒装置であって、
前記支持ベース（１）の一方側には、ハンドル（２）が設けられ、
前記支持ベース（１）の頂部の中央には、箱体（３）が設けられ、
前記箱体（３）の一方側には、支持バー（４）が設けられ、
前記支持バー（４）の頂部には、固定ラック（５）が設けられ、
前記固定ラック（５）の内部には、ノズル（６）が設けられ、
前記箱体（３）の内部は、混合箱（７）と液体吸引箱（８）から構成され、
前記混合箱（７）の頂部には、供給パイプ（９）が形成され、
前記混合箱（７）の一方側には、モータ（１１）が設けられ、
前記混合箱（７）の内部には、混合アセンブリが設けられ、
前記液体吸引箱（８）の内側には、支持板が設けられ、
前記支持板の頂部には、加圧ポンプ（１２）が設けられ、
前記支持板の底部には、ポンプ本体（１３）が設けられる
ことを特徴とする家庭用消毒装置。
【請求項２】
請求項１に記載の家庭用消毒装置であって、
前記混合アセンブリは、攪拌軸（１４）と攪拌バー（１５）から構成され、
前記攪拌軸（１４）の一端は、軸継手を介して前記モータ（１１）の出力軸に接続され、
前記攪拌軸（１４）の他端には、第１軸受が設けられ、
前記攪拌軸（１４）の他端は、前記第１軸受を介して仕切板に接続され、
前記攪拌バー（１５）は、複数群設けられ、
複数群の前記攪拌バー（１５）は、前記攪拌軸（１４）の両側の外壁に均等に設けられる
ことを特徴とする家庭用消毒装置。
【請求項３】
請求項１に記載の家庭用消毒装置であって、
前記ポンプ本体（１３）の一方側には、吸引パイプ（１６）が形成され、
前記吸引パイプ（１６）の一端は、仕切板を貫通して前記混合箱（７）の底部の内側に設けられ、
前記ポンプ本体（１３）の他方側には、接続ヘッド（１７）が設けられ、
前記接続ヘッド（１７）の一端は、前記液体吸引箱（８）を貫通して前記液体吸引箱（８）の外壁に設けられる
ことを特徴とする家庭用消毒装置。
【請求項４】
請求項３に記載の家庭用消毒装置であって、
前記ポンプ本体（１３）から離間する前記接続ヘッド（１７）の一端には、伸縮接続パイプ（１８）が接続され、
前記接続ヘッド（１７）から離間する前記伸縮接続パイプ（１８）の一端には、ノズル（６）の一方側が接続される
ことを特徴とする家庭用消毒装置。
【請求項５】
請求項１に記載の家庭用消毒装置であって、
前記加圧ポンプ（１２）の頂部には、加圧パイプ（１９）が形成され、
前記加圧ポンプ（１２）から離間する前記加圧パイプ（１９）の一端は、前記液体吸引箱（８）の頂部の外壁を貫通して前記混合箱（７）の内部に連通する
ことを特徴とする家庭用消毒装置。
【請求項６】
請求項１に記載の家庭用消毒装置であって、
前記固定ラック（５）の内側の底部には、第１支持具（２０）が設けられ、
前記第１支持具（２０）の頂部は、前記ノズル（６）の底部に当接し、
前記固定ラック（５）の一方側の内壁には、第２支持具（２１）が設けられ、
前記第２支持具（２１）の一方側は、前記ノズル（６）の一方側の外壁に当接し、
前記固定ラック（５）の他方側の内壁には、第３支持具（２２）が設けられ、
前記第３支持具（２２）の一方側は、前記ノズル（６）の一方側の外壁に当接し、
前記第３支持具（２２）の他方側には、第２軸受が設けられ、
前記第２軸受の一方側には、位置規制ネジバー（２３）が設けられ、
前記位置規制ネジバー（２３）は、前記第２軸受に回転可能に接続され、
前記第３支持具（２２）から離間する前記位置規制ネジバー（２３）の一端は、前記固定ラック（５）の一方側の外壁を貫通する
ことを特徴とする家庭用消毒装置。
【請求項７】
請求項１に記載の家庭用消毒装置であって、
前記混合箱（７）と前記液体吸引箱（８）との間には、仕切板が設けられる
ことを特徴とする家庭用消毒装置。
【請求項８】
請求項１に記載の家庭用消毒装置であって、
前記混合箱（７）の底部には、排液パイプ（１０）が形成され、
前記排液パイプ（１０）の内部には、第１制御弁が設けられる
ことを特徴とする家庭用消毒装置。
【請求項９】
請求項５に記載の家庭用消毒装置であって、
前記加圧パイプ（１９）の内部には、第２制御弁が設けられる
ことを特徴とする家庭用消毒装置。
【請求項１０】
請求項６に記載の家庭用消毒装置であって、
前記位置規制ネジバー（２３）が固定ラック（５）を貫通する位置には、位置規制ネジ孔が形成され、
前記位置規制ネジ孔は、前記位置規制ネジバー（２３）とネジ接続される。
ことを特徴とする家庭用消毒装置。
【考案の詳細な説明】
【技術分野】
【０００１】
本考案は消毒設備技術領域に関し、特に家庭用消毒装置に関する。
【背景技術】
【０００２】
消毒とは、病原菌を殺せるが、必ずしも細菌芽胞を殺せるわけでない方法をいう。通常、化学的方法により消毒が行われる。消毒に使用される化学薬品は消毒剤と呼ばれる。殺菌とは、対象のすべての微生物を殺す方法をいう。通常、物理的方法により消毒が行われる。消毒は、感染発源地消毒と予防消毒との２種類に分けられ、消毒のレベルにより、高レベル消毒、中レベル消毒、低レベル消毒に分けられる。疾病や細菌による人々の日常生活への影響を減らすために、部屋を消毒する対策が採用されている。
【０００３】
しかしながら、従来の家庭用消毒装置は、構造が簡単であるため、消毒剤と水の混合の均一性が低く、使用する際に装置により消毒効果に大きく違い、装置の全体的な消毒効果が影響を受ける。
【考案の概要】
【０００４】
本考案は、以下の問題を解決するために、家庭用消毒装置を提供することを目的とする。従来の家庭用消毒装置は、構造が簡単であるため、消毒剤と水の混合の均一性が低く、使用する際に装置により消毒効果に大きく違い、装置の全体的な消毒効果が影響を受ける。
上述した目的を実現するために、本考案は、支持ベースと、前記支持ベースの底部の両側に設けられるプーリと、を含む家庭用消毒装置を提供することを目的とする。前記支持ベースの一方側には、ハンドルが設けられ、前記支持ベースの頂部の中央には、箱体が設けられ、前記箱体の一方側には、支持バーが設けられ、前記支持バーの頂部には、固定ラックが設けられ、前記固定ラックの内部には、ノズルが設けられ、前記箱体の内部は、混合箱と液体吸引箱から構成され、前記混合箱の頂部には、供給パイプが形成され、前記混合箱の一方側には、モータが設けられ、前記混合箱の内部には、混合アセンブリが設けられ、前記液体吸引箱の内側には、支持板が設けられ、前記支持板の頂部には、加圧ポンプが設けられ、前記支持板の底部には、ポンプ本体が設けられる。
【０００５】
好ましくは、前記混合アセンブリは、攪拌軸と攪拌バーから構成され、前記攪拌軸の一端は、軸継手を介して前記モータの出力軸に接続され、前記攪拌軸の他端には、第１軸受が設けられ、前記攪拌軸の他端は、前記第１軸受を介して仕切板に接続され、前記攪拌バーは、複数群設けられ、複数群の前記攪拌バーは、前記攪拌軸の両側の外壁に均等に設けられる。使用する際に、ユーザは、消毒剤と水をそれぞれ供給パイプを通じて混合箱の内部に導入することができる。その後、モータをオンにし、モータは、攪拌軸の外壁の攪拌バーが消毒剤と水を攪拌して混合するように攪拌バーを駆動する。攪拌バーの攪拌により、消毒剤と水は、よく混合される。装置の使用過程中の消毒液の均一性が保証され、消毒効果が保証される。
【０００６】
好ましくは、前記ポンプ本体の一方側には、吸引パイプが形成され、前記吸引パイプの一端は、仕切板を貫通して前記混合箱の底部の内側に設けられ、前記ポンプ本体の他方側には、接続ヘッドが設けられ、前記接続ヘッドの一端は、前記液体吸引箱を貫通して前記液体吸引箱の外壁に設けられる。使用する際に、ユーザは、ポンプ本体をオンにするだけで混合液を吸引することができる。装置の使用が便利である。
【０００７】
好ましくは、前記ポンプ本体から離間する前記接続ヘッドの一端には、伸縮接続パイプが接続され、前記接続ヘッドから離間する前記伸縮接続パイプの一端には、ノズルの一方側が接続される。使用する際に、ユーザは、ポンプ本体をオンにすることにより、混合液を吸引し、伸縮接続パイプを通じて混合液をノズルに導入し、ノズルにより吐出する。装置の消毒効果がさらに保証される。
【０００８】
好ましくは、前記加圧ポンプの頂部には、加圧パイプが形成され、前記加圧ポンプから離間する前記加圧パイプの一端は、前記液体吸引箱の頂部の外壁を貫通して前記混合箱の内部に連通する。使用する際に、ユーザは、第２制御弁及び加圧ポンプをオンにすることにより、加圧ポンプは、加圧パイプにより混合箱の内部に対して加圧し、ポンプ本体の混合液に対する吸引が容易になり、装置の使用が簡単になる。
【０００９】
好ましくは、前記固定ラックの内側の底部には、第１支持具が設けられ、前記第１支持具の頂部は、前記ノズルの底部に当接し、前記固定ラックの一方側の内壁には、第２支持具が設けられ、前記第２支持具の一方側は、前記ノズルの一方側の外壁に当接し、前記固定ラックの他方側の内壁には、第３支持具が設けられ、前記第３支持具の一方側は、前記ノズルの一方側の外壁に当接し、前記第３支持具の他方側には、第２軸受が設けられ、前記第２軸受の一方側には、位置規制ネジバーが設けられ、前記位置規制ネジバーは、前記第２軸受に回転可能に接続され、前記第３支持具から離間する前記位置規制ネジバーの一端は、前記固定ラックの一方側の外壁を貫通する。使用する際に、ユーザは、ハンドルをプッシュすることにより、装置を必要に応じて特定の場所に移動できる。また、固定ラックの内部の第１支持具、第２支持具、及び第３支持具でノズルを固定することにより、装置が安定的に吐出することができる。また、部屋の隅を消毒する際に、ユーザは、位置規制ネジバーをねじることにより、第３支持具は位置規制ネジバーにとともにノズルから離間する。これにより、ユーザは、ノズルを移動することにより消毒作業を行うことができる。装置の使用が便利になる。
【００１０】
好ましくは、前記混合箱と前記液体吸引箱との間には、仕切板が設けられる。仕切板を設けることにより、混合箱と液体吸引箱を仕切ることができる。装置の使用が簡単になる。
【００１１】
好ましくは、前記混合箱の底部には、排液パイプが形成され、前記排液パイプの内部には、第１制御弁が設けられる。第１制御弁を設けることにより、排液パイプが液体を吐出することを制御することができる。装置の使用が簡単になる。
【００１２】
好ましくは、前記加圧パイプの内部には、第２制御弁が設けられる。第２制御弁を設けることにより、加圧パイプを制御することができる。
【００１３】
好ましくは、前記位置規制ネジバーが固定ラックを貫通する位置には、位置規制ネジ孔が形成され、前記位置規制ネジ孔は、前記位置規制ネジバーとネジ接続される。位置規制ネジ孔を設けることにより、位置規制ネジバーの固定及び使用が容易になり、装置の使用が便利になる。
【考案の効果】
【００１４】
本考案の態様は、下記の有益な効果を奏する。
本考案では、モータ及び攪拌アセンブリを設けることにより、以下の効果を奏する。使用する際に、ユーザは、消毒剤と水をそれぞれ供給パイプを通じて混合箱の内部に導入することができる。その後、モータをオンにし、モータは、攪拌軸の外壁の攪拌バーが消毒剤と水を攪拌して混合するように攪拌バーを駆動する。攪拌バーの攪拌により、消毒剤と水は、よく混合される。装置の使用過程中の消毒液の均一性が保証され、消毒効果が保証される。
【００１５】
本考案では、固定ラック、第１支持具、第２支持具、第３支持具及び位置規制ネジバーを設けることにより、使用する際に、ユーザは、ハンドルをプッシュすることにより、装置を必要に応じて特定の場所に移動できる。固定ラックの内部の第１支持具、第２支持具、及び第３支持具でノズルを固定することにより、部屋の隅を消毒する際に、ユーザは、位置規制ネジバーをねじることにより、第３支持具は位置規制ネジバーにとともにノズルから離間する。これにより、ユーザは、ノズルを移動することにより消毒作業を行うことができる。装置の使用が便利になる。
【図面の簡単な説明】
【００１６】
【図１】本考案の実施例に係る全体構造模式図である。
【図２】本考案の実施例に係る全体構造の内部構造模式図である。
【図３】本考案の実施例に係る固定ラックの側面図である。
【図４】図２におけるＡ部分の拡大模式図である。
【考案を実施するための形態】
【００１７】
本考案の内容をより分かりやすくするために、以下、明細書の添付図面を参考しながら本考案の好適な実施例を詳しく説明する。
【００１８】
図１−４に示すように、本考案のある実施例によれば、支持ベース１と、前記支持ベース１の底部の両側に設けられるプーリと、を含む家庭用消毒装置を提供する。前記支持ベース１の一方側には、ハンドル２が設けられ、前記支持ベース１の頂部の中央には、箱体３が設けられ、前記箱体３の一方側には、支持バー４が設けられ、前記支持バー４の頂部には、固定ラック５が設けられ、前記固定ラック５の内部には、ノズル６が設けられ、前記箱体３の内部は、混合箱７と液体吸引箱８から構成され、前記混合箱７の頂部には、供給パイプ９が形成され、前記混合箱７の一方側には、モータ１１が設けられ、前記混合箱７の内部には、混合アセンブリが設けられ、前記液体吸引箱８の内側には、支持板が設けられ、前記支持板の頂部には、加圧ポンプ１２が設けられ、前記支持板の底部には、ポンプ本体１３が設けられる。
【００１９】
また、前記混合アセンブリは、攪拌軸１４と攪拌バー１５から構成され、前記攪拌軸１４の一端は、軸継手を介して前記モータ１１の出力軸に接続され、前記攪拌軸１４の他端には、第１軸受が設けられ、前記攪拌軸１４の他端は、前記第１軸受を介して仕切板に接続され、前記攪拌バー１５は、複数群設けられ、複数群の前記攪拌バー１５は、前記攪拌軸１４の両側の外壁に均等に設けられる。使用する際に、ユーザは、消毒剤と水をそれぞれ供給パイプ９を通じて混合箱７の内部に導入することができる。その後、モータ１１をオンにし、モータ１１は、攪拌軸１４の外壁の攪拌バー１５が消毒剤と水を攪拌して混合するように攪拌バー１５を駆動する。攪拌バー１５の攪拌により、消毒剤と水は、よく混合される。装置の使用過程中の消毒液の均一性が保証され、消毒効果が保証される。
【００２０】
また、前記ポンプ本体１３の一方側には、吸引パイプ１６が形成され、前記吸引パイプ１６の一端は、仕切板を貫通して前記混合箱７の底部の内側に設けられ、前記ポンプ本体１３の他方側には、接続ヘッド１７が設けられ、前記接続ヘッド１７の一端は、前記液体吸引箱８を貫通して前記液体吸引箱８の外壁に設けられる。使用する際に、ユーザは、ポンプ本体１３をオンにするだけで混合液を吸引することができる。装置の使用が便利である。
【００２１】
また、前記ポンプ本体１３から離間する前記接続ヘッド１７の一端には、伸縮接続パイプ１８が接続され、前記接続ヘッド１７から離間する前記伸縮接続パイプ１８の一端には、ノズル６の一方側が接続される。使用する際に、ユーザは、ポンプ本体１３をオンにすることにより、混合液を吸引し、伸縮接続パイプ１８を通じて混合液をノズル６に導入し、ノズル６により吐出する。装置の消毒効果がさらに保証される。
【００２２】
また、前記加圧ポンプ１２の頂部には、加圧パイプ１９が形成され、前記加圧ポンプ１２から離間する前記加圧パイプ１９の一端は、前記液体吸引箱８の頂部の外壁を貫通して前記混合箱７の内部に連通する。使用する際に、ユーザは、第２制御弁及び加圧ポンプ１２をオンにすることにより、加圧ポンプ１２は、加圧パイプ１９により混合箱７の内部に対して加圧し、ポンプ本体１３の混合液に対する吸引が容易になり、装置の使用が簡単になる。
【００２３】
また、前記固定ラック５の内側の底部には、第１支持具２０が設けられ、前記第１支持具２０の頂部は、前記ノズル６の底部に当接し、前記固定ラック５の一方側の内壁には、第２支持具２１が設けられ、前記第２支持具２１の一方側は、前記ノズル６の一方側の外壁に当接し、前記固定ラック５の他方側の内壁には、第３支持具２２が設けられ、前記第３支持具２２の一方側は、前記ノズル６の一方側の外壁に当接し、前記第３支持具２２の他方側には、第２軸受が設けられ、前記第２軸受の一方側には、位置規制ネジバー２３が設けられ、前記位置規制ネジバー２３は、前記第２軸受に回転可能に接続され、前記第３支持具２２から離間する前記位置規制ネジバー２３の一端は、前記固定ラック５の一方側の外壁を貫通する。使用する際に、ユーザは、ハンドル２をプッシュすることにより、装置を必要に応じて特定の場所に移動できる。また、固定ラック５の内部の第１支持具２０、第２支持具２１、及び第３支持具２２でノズル６を固定することにより、装置が安定的に吐出することができる。また、部屋の隅を消毒する際に、ユーザは、位置規制ネジバー２３をねじることにより、第３支持具２２は位置規制ネジバー２３にとともにノズル６から離間する。これにより、ユーザは、ノズル６を移動することにより消毒作業を行うことができる。装置の使用が便利になる。
【００２４】
前記混合箱７と前記液体吸引箱８との間には、仕切板が設けられる。仕切板を設けることにより、混合箱７と液体吸引箱８を仕切ることができる。装置の使用が簡単になる。
【００２５】
また、前記混合箱７の底部には、排液パイプ１０が形成され、前記排液パイプ１０の内部には、第１制御弁が設けられる。第１制御弁を設けることにより、排液パイプ１０が液体を吐出することを制御することができる。装置の使用が簡単になる。
【００２６】
また、前記加圧パイプ１９の内部には、第２制御弁が設けられる。第２制御弁を設けることにより、加圧パイプ１９を制御することができる。
【００２７】
また、前記位置規制ネジバー２３が固定ラック５を貫通する位置には、位置規制ネジ孔が形成され、前記位置規制ネジ孔は、前記位置規制ネジバー２３とネジ接続される。位置規制ネジ孔を設けることにより、位置規制ネジバー２３の固定及び使用が容易になり、装置の使用が便利になる。
【００２８】
動作の原理
使用する際に、ユーザは、消毒剤と水をそれぞれ供給パイプ９を通じて混合箱７の内部に導入することができる。その後、モータ１１をオンにし、モータ１１は、攪拌軸１４の外壁の攪拌バー１５が消毒剤と水を攪拌して混合するように攪拌バー１５を駆動する。その後、第２制御弁、ポンプ本体１３、及び加圧ポンプ１２をオンにすることにより、加圧ポンプ１２は、加圧パイプ１９により混合箱７の内部に対して加圧し、混合箱７内部の混合液は、ポンプ本体１３の作用により吸引パイプ１６、ポンプ本体１３、接続ヘッド１７、及び伸縮接続パイプ１８の内部を順に通じてノズル６により吐出される。部屋の隅を消毒する際に、ユーザは、位置規制ネジバー２３をねじることにより、第３支持具２２は位置規制ネジバー２３にとともにノズル６から離間する。これにより、ユーザは、ノズル６を移動することにより消毒作業を行うことができる。装置の使用が便利になる。
【００２９】
上記は本発明の好ましい実施形態にすぎず、当業者は、本発明の原理から逸脱しない限り、若干の改良及び修正を加えることができる。これらの改良及び修正も本発明の保護の範囲と見なされる。
【符号の説明】
【００３０】
１：支持ベース
２：ハンドル
３：箱体
４：支持バー
５：固定ラック
６：ノズル
７：混合箱
８：液体吸引箱
９：供給パイプ
１０：排液パイプ
１１：モータ
１２：加圧ポンプ
１３：ポンプ本体
１４：攪拌軸
１５：攪拌バー
１６：吸引パイプ
１７：接続ヘッド
１８：伸縮接続パイプ
１９：加圧パイプ
２０：第１支持具
２１：第２支持具
２２：第３支持具
２３：位置規制ネジバー
【図１】
0003233105.tif 000003
【図２】
0003233105.tif 000004
【図３】
0003233105.tif 000005
【図４】
0003233105.tif 000006